(57)【要約】【課題】案内情報などが登録されて屋外や屋内の適所に分散配置される多数のパッシブRFタグの位置情報を、タグリーダを用いて管理サーバへ簡単に登録できるようにした無線タグシステムを提供する。【解決手段】タグ管理サーバは、タグリーダからパッシブRFタグの識別子a-IDの記述された画像要求を受信（Ｓ７０１）し、この画像要求に記述されたa-IDと対応付けられた周辺画像を探索（Ｓ７０４）し、周辺画像を検索できれば当該画像の添付された画像応答を返信（Ｓ７０６）する一方、周辺画像を検索できなければ画像の添付されていない画像応答を返信（Ｓ７０７）し、新規登録するパッシブRFタグの位置情報が記述されたタグ登録要求を受信（７０８）し、タグ登録要求に記述された位置情報に基づいてデータテーブルを更新（Ｓ７１２）する。【選択図】図９
2011070516.tif 000002
【特許請求の範囲】
【請求項１】
タグリーダがタグ管理サーバからパッシブRFタグの位置情報を取得して表示する無線タグシステムにおいて、
前記タグ管理サーバが、
アクティブRFタグの識別子a-IDごとに、当該アクティブRFタグに割り当てられた少なくとも一つのパッシブRFタグの識別子p-ID、各パッシブRFタグの周辺画像および当該周辺画像上での各パッシブRFタグの座標位置を対応付けて記憶するデータテーブルと、
タグリーダからa-IDの記述された画像要求を受信する画像要求受信手段と、
前記画像要求に記述されたa-IDと対応付けられた周辺画像を検索する手段と、
前記周辺画像を検索できれば当該画像の添付された画像応答を返信し、周辺画像を検索できなければ画像の添付されていない画像応答を返信する画像応答手段と、
新規登録するパッシブRFタグの位置情報が記述されたタグ登録要求を受信するタグ登録要求受信手段と、
前記タグ登録要求に記述された位置情報に基づいて前記データテーブルを更新する位置情報更新手段とを具備したことを特徴とする無線タグシステム。
【請求項２】
前記タグ登録要求に記述された位置情報が、
前記アクティブRFタグのa-IDと、
前記パッシブRFタグのp-IDと、
当該パッシブRFタグの周辺画像と、
当該パッシブRFタグの前記周辺画像上での位置座標とを含み、
前記a-ID、p-ID、周辺画像および当該周辺画像上でのパッシブRFタグの位置座標が対応付けられて登録されることを特徴とする請求項１に記載の無線タグシステム。
【請求項３】
前記タグ登録要求に記述された位置情報が、
前記アクティブRFタグのa-IDと、
前記パッシブRFタグのp-IDと、
当該パッシブRFタグの前記画像応答に添付した周辺画像上での位置座標とを含み、
前記a-ID、p-IDと、周辺画像とおよび当該周辺画像上での前記パッシブRFタグの位置座標が対応付けられて登録されることを特徴とする請求項１に記載の無線タグシステム。
【請求項４】
タグリーダがタグ管理サーバからパッシブRFタグIDのタグ位置情報を取得して表示する無線タグシステムにおいて、
前記タグリーダが、
アクティブRFタグから当該タグの識別子a-IDを受信するa-ID受信部と、
前記a-IDの記述された周辺画像要求をタグ管理サーバへ送信する画像要求手段と、
前記タグ管理サーバから、周辺画像の添付された画像応答および周辺画像の添付されていない周辺画像応答の一方を受信する画像応答手段と、
新規登録するパッシブRFタグの周辺画像を撮影する撮像手段と、
新規登録するパッシブRFタグに固有の識別子p-IDを読み取るp-ID読取手段と、
前記撮影した周辺画像および周辺画像応答に添付された周辺画像のいずれかの画像上で、前記新規登録するパッシブRFタグの位置座標を入力する位置座量入力手段と、
前記a-ID，p-IDおよび当該p-IDの前記周辺画像上での位置座標の記述されたタグ登録要求を送信するタグ登録要求手段とを具備したことを特徴とする無線タグシステム。
【請求項５】
前記タグ登録要求に、前記撮影された周辺画像が添付されていることを特徴とする請求項４に記載の無線タグシステム。
【発明の詳細な説明】
【技術分野】
【０００１】
本発明は、タグリーダがタグ管理サーバからパッシブRF (Radio Frequency)タグの位置情報を取得して表示する無線タグシステムに係り、特に、タグリーダを用いてタグ管理サーバにパッシブRFタグの位置情報を登録・更新できる無線タグシステムに関する。
【背景技術】
【０００２】
ICタグは、データを記憶できる半導体メモリを内蔵し、誘導電磁界や電波により給電されてデータを非接触で読み書きできる情報媒体である。無線式のRFタグは、電力の供給方式によりパッシブ式（パッシブRFタグ）およびアクティブ式（アクティブRFタグ）に大別され、さらに両者の中間であるセミパッシブ式（セミパッシブRFタグ）も普及している。
【０００３】
パッシブRFタグは、アンテナやリーダ／ライタから供給される電力で動作するICタグであり、その交信距離は数mmから数mに制限される。したがって、データを読み書きするためにはユーザがリーダ／ライタをパッシブRFタグに翳す動作が必要である。ただし、電源を内蔵するアクティブタグに較べて安価であり、電池切れの心配もない。
【０００４】
アクティブRFタグは、内蔵電池で動作するICタグであり、自らの電源で電波を送受信するため、その交信距離は数十mにも達するが、電池の寿命が尽きると交信できなくなり、また上記のパッシブRFタグよりも一般的に高価である。
【０００５】
特許文献１には、アクティブタグの緯度経度情報および当該アクティブタグを含む周辺画像から、建物などのオブジェクトと情報端末との距離や位置を計算し、現実の画像にナビゲーション情報を重ね合わせて表示する技術が開示されている。すなわち、特許文献１には、アクティブタグを利用したナビゲーションシステムが開示されている。
【先行技術文献】
【特許文献】
【０００６】
【特許文献１】WO2007/077613号公報
【発明の概要】
【発明が解決しようとする課題】
【０００７】
RFタグにバスや鉄道の路線図あるいは時刻表を登録してバス停や駅の周辺に配置し、利用者がRFタグにリーダを翳して路線図や時刻表を参照できるようにすれば利用者の利便性が向上する。また、繁華街に飲食店の案内情報やクーポンを登録したRFタグを配置すれば、新たな広告媒体としての利用が可能になる。さらに、観光地において観光名所の説明やアクセス方法を登録しておけば、観光客は観光名所の内容や位置を容易に把握できるようになる。
【０００８】
このようなRFタグの配置場所は屋外に限らず、大型のショッピングモール等において、店舗の情報を記憶したRFタグを適所に配置してユーザが情報を取得できるようにしても同様に利便性が向上する。
【０００９】
このように、RFタグに各種の案内情報を登録して屋外や屋内の各所に配置し、これを利用者がリーダ内蔵の携帯電話等で読み取って案内情報を参照できるようにすれば利便性が向上する。また、RFタグとしてパッシブRFタグを用いることができれば、給電設備の確保あるいは電池交換が不要になるのでインフラ等の構築が容易になる。
【００１０】
しかしながら、パッシブRFタグに登録されている情報を読み取るためには、利用者がパッシブRFタグの配置位置を正確に把握し、当該位置まで移動してリーダをパッシブRFタグに翳す動作が必要となるが、看板やネオンなど多数の情報が氾濫する環境下では、利用者がパッシブRFタグの位置を探し出すことは容易ではない。
【００１１】
一方、このような技術課題は、各パッシブRFタグの設置位置に関する位置情報を所定の管理サーバへ予め登録しておき、タグリーダからの要求に応答して管理サーバが各パッシブRFタグの位置情報をタグリーダへ応答できるようにすれば解決できる。しかしながら、このような構成では各パッシブRFタグの位置情報を管理サーバへ予め登録する事前処理が必要となるため、この事前処理が煩雑であると管理サーバの実現が困難となる。
【００１２】
本発明の目的は、上記した技術課題を解決し、案内情報などが登録されて屋外や屋内の適所に分散配置される多数のパッシブRFタグの位置情報を、タグリーダを用いて管理サーバへ簡単に登録できるようにした無線タグシステムを提供することにある。
【課題を解決するための手段】
【００１３】
上記の目的を達成するために、本発明は、タグリーダがタグ管理サーバからパッシブRFタグの位置情報を取得して表示する無線タグシステムにおいて、タグ管理サーバおよびタグリーダが以下のような手段を講じた点に特徴がある。
【００１４】
(1)タグ管理サーバが、アクティブRFタグの識別子a-IDごとに、当該アクティブRFタグに割り当てられた少なくとも一つのパッシブRFタグの識別子p-ID、各パッシブRFタグの周辺画像および当該周辺画像上での各パッシブRFタグの座標位置を対応付けて記憶するデータテーブルと、タグリーダからa-IDの記述された画像要求を受信する画像要求受信手段と、画像要求に記述されたa-IDと対応付けられた周辺画像を検索する手段と、周辺画像を検索できれば当該画像の添付された画像応答を返信し、周辺画像を検索できなければ画像の添付されていない画像応答を返信する画像応答手段と、新規登録するパッシブRFタグの位置情報が記述されたタグ登録要求を受信するタグ登録要求受信手段と、タグ登録要求に記述された位置情報に基づいて前記データテーブルを更新する位置情報更新手段とを具備した。
【００１５】
(2)タグリーダが、アクティブRFタグから当該タグの識別子a-IDを受信するa-ID受信部と、a-IDの記述された周辺画像要求をタグ管理サーバへ送信する画像要求手段と、タグ管理サーバから、周辺画像の添付された画像応答および周辺画像の添付されていない周辺画像応答の一方を受信する画像応答手段と、新規登録するパッシブRFタグの周辺画像を撮影する撮像手段と、新規登録するパッシブRFタグに固有の識別子p-IDを読み取るp-ID読取手段と、撮影した周辺画像および周辺画像応答に添付された周辺画像のいずれかの画像上で、前記新規登録するパッシブRFタグの位置座標を入力する位置座量入力手段と、a-ID，p-IDおよび当該p-IDの前記周辺画像上での位置座標の記述されたタグ登録要求を送信するタグ登録要求手段とを具備した。
【発明の効果】
【００１６】
本発明によれば、タグリーダがタグ管理サーバからパッシブRFタグの位置情報を取得して表示する無線タグシステムにおいて、新たに配置するパッシブRFタグの位置情報として、その識別子p-IDや配置位置の周辺画像、さらには当該周辺画像上でのパッシブRFタグの位置座標を、タグリーダからタグ管理サーバへ簡単に登録できるようになる。
【図面の簡単な説明】
【００１７】
【図１】本発明の基本概念を説明した図である。
【図２】本発明のシステム構成の一例を示したブロック図である。
【図３】タグ情報テーブルの一例を示した図である。
【図４】案内情報テーブルの一例を示した図である。
【図５】ユーザ管理テーブルの一例を示した図である。
【図６】位置情報画像の一例を示した図である。
【図７】本発明の一実施形態の動作を示したフローチャートである。
【図８】携帯端末によるタグ管理サーバの遠隔操作方法を示したフローチャートである。
【図９】タグ登録要求の手順を示したフローチャートである。
【図１０】閲覧要求の手順を示したフローチャートである。
【図１１】更新登録要求の手順を示したフローチャートである。
【発明を実施するための形態】
【００１８】
以下、図面を参照して本発明の実施の形態について詳細に説明する。ここでは、初めに本発明の概要について説明し、次いで、その具体的な構成を説明する。
【００１９】
図１は、本発明の基本概念を説明した図であり、図中右側は、路線図や時刻表などの案内情報を取得できるパッシブRFタグ２が適所に分散配置される屋外環境の一例を模式的に示しており、図中左側は、この屋外環境において、タグリーダの機能および表示部を備えた携帯端末３の画面上に、各パッシブRFタグ２（２ａ，２ｂ…）の位置情報が、その周辺画像を背景としてシンボル表示されている例を示した図である。
【００２０】
図１の例では、地下鉄の入り口に配置されているパッシブRFタグ２ａ，２ｂに地下鉄の時刻表が登録されている。地下鉄の標識に配置されたパッシブRFタグ２ｃには地下鉄の路線図が登録されている。バス停の案内板に配置されたパッシブRFタグ２ｄにはバスの路線図および時刻表が登録されている。街中に配置されたパッシブRFタグ２ｅ，２ｆには飲食店や周辺地図の情報、伝言などが登録されている。したがって、端末ユーザは地下鉄の時刻表を参照したければ、パッシブRFタグ２ａ，２ｂに携帯端末３を翳すことで時刻表を取得できるようになる。
【００２１】
このように複数のパッシブRFタグ２が分散配置された地域には、当該地域をカバレッジとするアクティブRFタグ１が配置されている。このアクティブRFタグ１からは、自身のカバレッジ内に配置されている多数のパッシブRFタグ２（２ａ，２ｂ…）の位置情報を取得するための識別情報が周期的に送信される。携帯端末３は、アクティブRFタグ１から識別情報を取得し、これを位置要求メッセージに記述して所定の管理サーバへ送信すると、当該管理サーバから前記位置情報の添付された位置応答が返信され、同図左側のように、その表示部に表示される。
【００２２】
図２は、本発明のシステム構成の一例を示したブロック図であり、ここでは、本発明の説明に不要な構成は図示が省略されている。
【００２３】
携帯端末３において、a-ID受信部３０３は、アクティブRFタグ１と通信して当該タグ１に固有の識別子a-IDを受信する。p-ID読取部３０４は、パッシブRFタグ２に給電して当該タグ２から識別子p-IDを読み取る。表示部３０５は、LCDパネルおよびその駆動回路（共に図示せず）を備える。入力操作部３０６は、端末ユーザの入力操作を受け付ける。デジタルカメラ部３０７は、撮影画像をデジタル出力する。通信部３０１は、タグ管理サーバ４と相互に通信する。
【００２４】
前記通信部３０１において、位置要求部３０１１は、アクティブRFタグ１の割当地域に配置されているパッシブRFタグ２の位置情報を取得するために、その識別子a-IDの記述された位置要求メッセージをタグ管理サーバ４へ送信する。位置応答受信部３０１２は、前記位置要求に応答してタグ管理サーバ４から返信される位置応答メッセージを受信してパッシブRFタグ２の位置情報を取得する。
【００２５】
案内要求部３０１３は、前記パッシブRFタグ２に予め関連付けられている時刻表や路線図といった案内情報を取得するために、その識別子p-IDの記述された案内要求メッセージをタグ管理サーバ４へ送信する。案内応答受信部３０１４は、前記案内要求に応答してタグ管理サーバ４から送信される案内応答メッセージを受信し、これに添付されているパッシブRFタグ２の案内情報を取得する。
【００２６】
画像要求部３０１５は、タグ管理サーバ４においてa-IDと対応付けられている周辺画像を取得するために、当該a-IDの記述された画像要求メッセージをタグ管理サーバ４へ送信する。画像応答受信部３０１６は、前記画像要求に応答してタグ管理サーバ４から送信される画像応答メッセージを受信し、これに添付されている周辺画像を取得する。タグ登録要求部３０７は、新たに設置したパッシブRFタグをタグ管理サーバ４へ新規登録するために、当該パッシブRFタグに関する情報の記述されたタグ登録要求メッセージをタグ管理サーバ４へ送信する。
【００２７】
前記タグ登録要求メッセージには、後に詳述するように、新たに設置したパッシブRFタグのp-IDと、前記アクティブRFタグのa-IDと、当該パッシブRFタグの周辺画像上での位置座標とが記述され、さらに新規に撮影された周辺画像が添付される場合もある。前記各要求メッセージは制御部３０２で生成される。
【００２８】
タグ管理サーバ４において、タグ情報テーブル４０７では、図３に一例を示したように、アクティブRFタグとその割当地域に配置されているパッシブRFタグとの関係が両者のID(a-IDおよびp-ID)で管理されると共に、各パッシブRFタグ２の位置情報を生成するための周辺画像のファイル名、各パッシブRFタグ２の当該周辺画像上での位置座標、各パッシブRFタグ２の位置情報を閲覧するために必要なユーザ権限、および前記座標位置に埋め込まれるバルーン内に表示するテキスト情報等が管理されている。周辺画像DB４０８には周辺画像が前記ファイル名で記録されている。
【００２９】
案内情報テーブル４０９には、図４に一例を示したように、パッシブRFタグ２のp-IDごとに、時刻表や路線図といった案内情報のファイル名が記録されている。案内情報DB４１０には、案内情報の画像ファイルやテキストファイルが前記ファイル名で記録されている。ユーザ管理テーブル４１１では、図５に一例を示したように、ユーザIDごとに情報取得に関する権限が管理されている。本実施形態では、各ユーザの権限がユーザIDに応じて「管理ユーザ」，「優先ユーザ」および「一般ユーザ」に分類され、管理ユーザ＞優先ユーザ＞一般ユーザの順で情報取得に関して高い権限が付与される。
【００３０】
通信部４０１において、位置要求受信部４０１１は、携帯端末３から送信される位置要求メッセージを受信してa-IDおよびユーザIDを抽出する。位置応答部４０１２は、前記位置要求メッセージに対して、前記位置情報の添付された位置応答メッセージを返信する。案内要求受信部４０１３は、携帯端末３から送信される案内要求メッセージを受信してp-IDを抽出する。案内応答部４０１４は、前記案内要求メッセージに対して、前記案内情報の添付された案内応答メッセージを返信する。
【００３１】
画像要求受信部４０１５は、携帯端末３から送信される画像要求メッセージを受信してa-IDおよびユーザIDを抽出する。画像応答部４０１６は、前記画像要求に記述されているa-IDと前記周辺画像DB４０８において対応付けられている周辺画像を画像応答メッセージに添付して返信する。タグ登録要求受信部４０１７は、携帯端末３から送信されるタグ登録要求メッセージを受信する。
【００３２】
ユーザ権限設定部４０３は、位置要求メッセージにa-IDと共に記述されているユーザIDに基づいて前記ユーザ管理テーブル４１１を参照し、前記位置要求メッセージを送信したユーザに付与する権限を設定する。位置情報検索部４０４は、前記位置要求メッセージに記述されているa-IDに基づいて、当該アクティブRFタグ１の割当地域に配置されているパッシブRFタグ２を識別し、応答する位置情報を構成する周辺画像を前記周辺画像DB４０８から検索する。前記位置情報検索部４０７はさらに、前記ユーザ権限に基づいて、位置情報の提示が許可されているパッシブRFタグ２を選抜し、その周辺画像上での各パッシブRFタグ２の位置座標およびバルーン内情報を取得する。
【００３３】
位置情報生成部４０５は、前記周辺画像上の前記各座標位置にバルーンを埋め込み、さらに各バルーン内に対応するテキスト情報を埋め込んで位置情報としての画像を生成する。この位置情報は、位置応答メッセージに添付されて前記位置応答部４０１２から携帯端末３へ返信される。
【００３４】
案内情報検索部４０９は、案内要求メッセージに記述されているパッシブRFタグ２の識別子p-IDに基づいて画像情報テーブル４０９を検索し、対応するファイル名の案内情報を案内情報DB４１０から抽出する。この案内情報は、案内応答メッセージに添付されて前記案内応答部４０１４から携帯端末３へ返信される。
【００３５】
位置情報更新部４１２は、前記タグ登録要求メッセージに記述された情報あるいは添付された周辺画像に基づいて、新たに設置されたパッシブRFタグの位置情報をタグ情報テーブル４０７および周辺画像DB４０８に更新登録する。
【００３６】
次いで、図７のフローチャートを参照して本発明の一実施形態の動作を詳細に説明する。ここでは、各RFタグ１，２の動作、タグリーダを備えた携帯端末３の動作およびタグ管理サーバ４の動作を並列的に説明する。
【００３７】
アクティブRFタグ１からは、当該タグ１に固有の識別子a-IDが周期的に送信されており、携帯端末３では、ステップＳ３０１において前記a-IDがa-ID受信部３０３により受信されるとステップＳ３０２へ進む。このとき、a-IDが受信された旨を適宜の効果音等により端末ユーザに通知するようにしても良い。ステップＳ３０２では、前記a-IDおよび自身のユーザIDの記述された位置要求メッセージが制御部３０２で生成され、前記通信部３０１の位置要求部３０１１からタグ管理サーバ４へ送信される。
【００３８】
タグ管理サーバ４では、前記位置要求メッセージがステップＳ４０１において通信部４０１の位置要求受信部４１１により受信されるとステップＳ４０２へ進み、当該メッセージからa-IDおよびユーザIDが抽出される。ステップＳ４０３では、前記抽出されたユーザIDに基づいて前記ユーザ権限設定部４０３によりユーザ管理テーブル４１１が参照され、当該ユーザに対して所定のユーザ権限が付与される。
【００３９】
ステップＳ４０４では、前記抽出されたa-IDに基づいて、前記位置情報検索部４０４により前記アクティブRFタグ１の割当地域に配置されているパッシブRFタグ２が識別される。ステップＳ４０５では、前記ユーザ権限に基づいて、位置情報を提供できるパッシブRFタグ２が選抜される。ステップＳ４０６では、前記選抜されたパッシブRFタグ２を対象に、前記位置情報生成部４０５により周辺画像、位置座標およびバルーン情報が抽出されて位置情報の画像が生成される。ステップＳ４０７では、前記位置情報の添付された位置応答メッセージが生成されて位置応答部４０１２から携帯端末３へ返信される。
【００４０】
図６は、位置情報画像の一例を示した図であり、周辺画像上で各パッシブRFタグ２が配置されている位置には、パッシブRFタグ２のシンボルに加えてバルーンが表示され、各バルーン内には、当該パッシブRFタグ２に登録されている案内情報の概要がテキスト形式で記述されている。
【００４１】
携帯端末３では、ステップＳ３０３において前記位置応答メッセージが位置応答受信部３０１２により受信されるとステップＳ３０４へ進む。ステップＳ３０４では、当該メッセージから前記図６の位置情報が抽出されて表示部３０４に表示される。ここで、端末ユーザが表示部３０４を参照して所望の案内情報が登録されているパッシブIDタグ２の位置を確認し、当該位置へ移動して当該パッシブIDタグ２に携帯端末３を翳すと、パッシブIDタグ２が起動されて当該タグ２に固有の識別子p-IDが出力される。
【００４２】
携帯端末３では、ステップＳ３０５において、前記p-IDがp-ID読取部３０４に読み取られる。ステップＳ３０６では、前記p-IDの記述された案内要求メッセージが制御部３０６で生成され、前記通信部３０７の案内要求部３０１３からタグ管理サーバ４へ送信される。
【００４３】
タグ管理サーバ４では、前記案内要求メッセージがステップＳ４０８において案内要求受信部４０３により受信されると、ステップＳ４０９へ進んで当該メッセージからp-IDが抽出される。ステップＳ４１０では、前記案内情報検索部４０６により、前記p-IDに基づいて案内情報テーブル４０９および案内情報DB４１０が検索され、当該p-IDと紐付けられた案内情報が取得される。ステップＳ４１１では、前記案内情報の添付された案内応答メッセージが生成されて案内応答部４０１４から携帯端末３へ返信される。
【００４４】
携帯端末３では、ステップＳ３０７において前記案内応答メッセージが案内応答受信部３０１４により受信されるとステップＳ３０８へ進み、当該メッセージから案内情報が抽出されて表示部３０４に表示出力される。
【００４５】
次いで、携帯端末３によるタグ管理サーバ４の遠隔操作について説明する。図８は、携帯端末３によるタグ管理サーバ４の遠隔操作方法を示したメインフローであり、本実施形態では、「タグ登録」、「閲覧」および「更新登録」の３つの操作が携帯端末３から遠隔操作により可能である。
【００４６】
図８において、ステップＳ５１〜５３では要求操作が判定され、タグ登録要求であれば図９のステップＳ５０１へ進み、閲覧要求であれば図１０のステップＳ５４１へ進み、更新要求であれば図１１のステップＳ５６１へ進む。
【００４７】
(1)操作要求がタグ登録要求であれば、図９のステップＳ５０１において、新規登録するパッシブRFタグ２の設置位置をカバレッジとするアクティブRFタグ１の識別子a-IDが前記a-ID受信部３０３により受信される。ステップＳ５０２において、登録要求のキー操作が検知されるとステップＳ５０３へ進み、前記a-IDおよびユーザIDの記述された周辺画像要求のメッセージが生成されて画像要求部３０１５からタグ管理サーバ４へ送信される。
【００４８】
タグ管理サーバ４では、この画像要求がステップＳ７０１において前記画像要求受信部４０１５により受信されるとステップＳ７０２へ進み、当該メッセージに記述されているユーザIDに基づいて、今回のタグ登録要求が正規の権限を有する許可ユーザによる要求であるか否かが判定される。許可ユーザによる要求でなければ、ステップＳ７０３へ進んで認証エラーメッセージが送信される。携帯端末３では、この認証エラーメッセージがステップＳ５０４で受信されるとステップＳ５０５へ進み、認証エラーメッセージを表示して今回の登録処理を強制終了する。
これに対して、許可ユーザによる要求であればステップＳ７０４へ進み、予め前記a-IDと対応付けられている周辺画像が前記周辺画像DB４０８から探索される。ステップＳ７０５では周辺画像の探索結果が判定され、周辺画像が既登録であればステップＳ７０６へ進み、周辺画像の添付された画像応答メッセージが画像応答部４０１６から返信される。なお、周辺画像は一枚に限らず、前記a-IDに複数の周辺画像が対応付けられていれば、これらの周辺画像の全てまたは一部が返信される。これに対して、周辺画像が未登録あればステップＳ７０７へ進み、周辺画像の添付されていない周辺画像応答メッセージが画像応答部４０１６から返信される。
【００４９】
携帯端末３では、この画像応答がステップＳ５０６において画像応答受信部３０１６により受信されるとステップＳ５０７へ進み、周辺画像が添付されているか否かが判定される。周辺画像が添付されていなければステップＳ５０８へ進み、周辺画像の撮影を端末ユーザに要求するメッセージが表示される。ステップＳ５０９において、デジタルカメラ部３０７により撮影が行われたことが検知されるとステップＳ５１０へ進み、前記撮影された周辺画像または前記画像応答メッセージに添付されていた既登録の周辺画像が表示部３０５に表示される。
【００５０】
なお、周辺画像応答メッセージに複数の周辺画像が登録されていた場合には、そのうちの一つを選択する手順が追加される。また、画像応答メッセージに周辺画像が添付されていた場合であっても、これが適当な周辺画像でなければ、端末ユーザの選択により周辺画像が撮影される。
【００５１】
ステップＳ５１１では、新規に登録するパッシブRFタグの設置位置を周辺画像上で指定させるメッセージが表示部３０５に表示される。ステップＳ５１２では、端末ユーザにより入力操作部３０６の十字キー等が操作されてパッシブRFタグの位置座標が周辺画像上で指定される。このとき、前記バルーン内に表示するテキスト情報も同時に登録するようにしても良い。
【００５２】
このようにして、パッシブRFタグの位置座標の指定が完了すると、ステップＳ５１３では、新規に登録するパッシブRFタグのp-IDの読み取りを要求するメッセージが表示される。ステップＳ５１４でp-IDが読み取られるとステップＳ５１５へ進み、前記a-ID，p-ID，ユーザID，バルーンのテキスト情報および位置座標、ならびに周辺画像が新規に撮影されていれば当該周辺画像の添付されたタグ登録要求メッセージが生成されてタグ登録要求部３０１７から送信される。
【００５３】
タグ管理サーバ４では、ステップＳ７０８において前記タグ登録要求メッセージがタグ登録要求受信部４０１７で受信されるとステップＳ７０９へ進み、当該メッセージに記述されているp-IDが既登録であるか否かが判定される。既登録であれば、ステップＳ７１０へ進んで重複通知が返信される。
【００５４】
携帯端末３では、この重複通知がステップＳ５１６で受信されるとステップＳ５１７へ進む。ステップＳ５１７では、重複通知に対して端末ユーザが選択し得る３つのオプションとして、「中止」，「やり直り」，「更新」を選択される画面が表示され、ステップＳ５１８では、端末ユーザにより選択されたオプションが判定される。「中止」が選択されると当該処理を終了する。「やり直り」が選択されるとステップＳ５１３へ戻り、別のパッシブRFタグの読み取りを要求するメッセージが表示される。「更新」が選択されているとステップＳ５１９へ進み、更新要求メッセージが送信される。
【００５５】
タグ管理サーバ４では、この更新要求メッセージがステップＳ７１１で受信されるとステップＳ７１２へ進み、前記p-IDが周辺画像およびその座標位置と対応付けられて前記タグ情報テーブル４０７あるいは周辺画像DB４０８に更新登録される。ステップＳ７１３では、登録応答が返信される。なお、更新要求メッセージが受信されることなく、ステップＳ７１４においてタイムアウトが検知されると当該処理を終了する。携帯端末３では、前記登録応答メッセージがステップＳ５２０で受信されると、ステップＳ５２１で完了メッセージを表示して当該処理を終了する。
【００５６】
(2)操作要求が閲覧要求であれば、携帯端末３では、図１０のステップＳ５４１において、閲覧を希望する地域のアクティブRFタグ１の識別子a-IDが受信される。ステップＳ５４２では、前記a-IDおよびユーザIDの記述された閲覧要求メッセージがタグ管理サーバ４へ送信される。
【００５７】
タグ管理サーバ４では、この閲覧要求メッセージがステップＳ７４１で受信されるとステップＳ７４２へ進み、当該メッセージに記述されているユーザIDに基づいて、今回の閲覧要求が所定の権限を有する許可ユーザによる要求であるか否かが判定される。許可ユーザによる要求であればステップＳ７４３へ進み、前記a-IDと対応付けられているパッシブRFタグの位置情報（周辺画像および当該画像上での各パッシブRFタグの座標位置）が検索される。ステップＳ７４４では、当該抽出された位置情報に基づいて位置情報画像が生成され、ステップＳ７４５において閲覧応答メッセージに添付されて検索携帯端末３へ送信される。
【００５８】
携帯端末３では、この位置情報がステップＳ５４４で受信されるとステップＳ５４５へ進み、表示部３０５に各パッシブRFタグの位置情報が表示出力される。
【００５９】
(3)操作要求が更新要求であれば、携帯端末３では、図１１のステップＳ５６１において、更新を希望する地域のアクティブRFタグ１の識別子a-IDが受信される。ステップＳ５６２では、前記a-IDおよびユーザIDの記述された更新要求メッセージがタグ管理サーバ４へ送信される。
【００６０】
タグ管理サーバ４では、前記更新要求メッセージがステップＳ７６１で受信されるとステップＳ７６２へ進み、当該メッセージに記述されているユーザIDに基づいて、今回の更新要求が所定の権限を有する許可ユーザによる要求であるか否かが判定される。許可ユーザによる要求であればステップＳ７６３へ進み、前記a-IDと対応付けられているパッシブRFタグの位置情報が検索される。ステップＳ７６４では、当該抽出された位置情報に基づいて位置情報画像が生成され、ステップＳ７６５において更新応答メッセージに添付されて検索携帯端末３へ送信される。
【００６１】
携帯端末３では、この位置情報（画像）がステップＳ５６４で受信されるとステップＳ５６５へ進み、表示部３０５に表示出力される。ステップＳ５６６では、各パッシブRFタグの位置座標やバルーン内メッセージが入力操作部３０６から操作により更新される。ステップＳ５６７では、前記更新内容の記述された更新指示がタグ管理サーバ４へ送信される。タグ管理サーバ４では、この更新指示がステップＳ７６６で受信されるとステップＳ７６７へ進み、更新指示の内容に応じた更新が実行される。
【符号の説明】
【００６２】
１…アクティブRFタグ，２…パッシブRFタグ，３…携帯端末，４…タグ管理サーバ，a-ID…アクティブRFタグの識別子，p-ID…パッシブRFタグ２の識別子
【図３】
2011070516.tif 000003
【図４】
2011070516.tif 000004
【図５】
2011070516.tif 000005
【図７】
2011070516.tif 000006
【図８】
2011070516.tif 000007
【図９】
2011070516.tif 000008
【図１０】
2011070516.tif 000009
【図１１】
2011070516.tif 000010
【図１】
2011070516.tif 000011
【図２】
2011070516.tif 000012
【図６】
2011070516.tif 000013